(57)【要約】      （修正有）【課題】再活用が容易で、外部衝撃と座屈荷重に強く、運搬が容易な溶接ワイヤー用収容容器を提供する。【解決手段】下段には外側底支持部が形成され、内部には巻き取られた溶接ワイヤーを収容するワイヤー収容部が形成される外筒１００、上記外側底支持部に安着結合する底部及び上記外筒の内側面に密着し、下部には上記底部に安着する内側底支持部が形成される内筒を含み、上記外筒は強度補強部と、上記強度補強部の内側に形成されて外部からの衝撃を吸収する衝撃吸収部を含む溶接ワイヤー用収納容器１０００。【選択図】図１
2019150876.tif 000002
【特許請求の範囲】
【請求項１】
下段には外側底支持部が形成されて、内部には巻き取られた溶接ワイヤーを収容するワイヤー収容部が形成される外筒；
前記外側底支持部に安着結合する底部；及び
前記外筒の内側面に密着し、下部には前記底部に安着する内側底支持部が形成される内筒を含み、
前記外筒は強度補強部と、前記強度補強部の内側に形成されて外部からの衝撃を吸収する衝撃吸収部とを、含む溶接ワイヤー用収納容器。
【請求項２】
前記強度補強部は、第１板紙と第１中しん原紙とを含み、前記衝撃吸収部は、第２板紙と第２中しん原紙とを含んでおり、前記第１中しん原紙の段の数は、前記第２中しん原紙の段の数より大きいことを特徴とする請求項１に記載の溶接ワイヤー用収納容器。
【請求項３】
前記第１中しん原紙の段と隣接する次の波形の一番面の段の間の長さを１１とし、前記強度補強部の厚さをｄ１とする時、Ｒ１＝１１／ｄ１が２以上４以下であり、
前記第２中しん原紙の段と隣接する次の段の間の長さを１２とし、衝撃吸収部の厚さをｄ２とする時、Ｒ２＝１２／ｄ２が２以上４以下であることを特徴とする請求項２に記載の溶接ワイヤー用収納容器。
【請求項４】
前記第１中しん原紙の単位長さ当たり段の数をＣ１、前記第２中しん原紙の単位長さ当たり段の数をＣ２とする時、ＲＣ＝Ｃ１／Ｃ２は１．２７以上１．６７以下であることを特徴とする請求項２に記載の溶接ワイヤー用収納容器。
【請求項５】
前記外筒は、側部にストラップガイドを収容する２つ以上の収容空間部を更に含むことを特徴とする請求項１に記載の溶接ワイヤー用収納容器。
【請求項６】
前記ストラップガイドは前記収容空間部に結合され、
前記ストラップガイドは第１ベース、前記第１ベースに形成されてストラップが通過する第１スロットを含むストラップボス、そして前記ストラップボスの外周部に位置し、口径を含む少なくとも一つ以上の突起収容部を含む第１モジュール、及び
第２ベース、前記第２ベースに形成される第２スロット、前記第２スロットの外周部に位置し、前記突起収容部とペアを成すように形成される一つ以上の結合突起を有する第２モジュールを含み、
前記第１モジュールが前記第２モジュールと結合することにより、単一閉曲面を有する開口部が形成されることを特徴とする請求項５に記載の溶接ワイヤー用収納容器。
【請求項７】
前記開口部の縁は緩やかなラウンド形態であることを特徴とする請求項６に記載の溶接ワイヤー用収納容器。
【請求項８】
前記第２ベースは、傾斜角を有し、外側へ傾いた切曲部を更に含むことを特徴とする請求項６に記載の溶接ワイヤー用収納容器。
【請求項９】
前記収容空間部は、前記ストラップボスが挟み合わされる中間空間部と、前記突起収容部が挟み合わされる上部空間部及び下部空間部とを含み、前記収容空間部に前記ストラップガイドが挟み合わされることを特徴とする請求項６に記載の溶接ワイヤー用収納容器。
【請求項１０】
前記第１モジュールは、前記外筒と内筒との間の間空間部に配置され、前記第２モジュールは、前記外筒の外側から外筒の外側面に形成される前記収容空間部を通過することにより第１モジュールに結合することを特徴とする請求項６に記載の溶接ワイヤー用収納容器。
【請求項１１】
前記ストラップボスの高さは、前記外筒の厚さ以上であることを特徴とする請求項６に記載の溶接ワイヤー用収納容器。
【請求項１２】
中央部は、前記外側底支持部と前記底部の間に配置され、両端部は、前記外筒と内筒の間の間空間部に配置され、前記外筒の外側面に対向するように形成される収容空間部に露出されて掛け部を形成するストラップを更に含むことを特徴とする請求項１に記載の溶接ワイヤー用収納容器。
【請求項１３】
前記内筒は、少なくとも一つ以上の切取り部を更に含むことを特徴とする請求項１に記載の溶接ワイヤー用収納容器。
【発明の詳細な説明】
【技術分野】
【０００１】
本発明は、溶接ワイヤー用収納容器に関し、更に詳しくは、再活用が容易でありながら、外部衝撃と座屈荷重に強く、ストラップガイドを含んでおり、運搬が容易な溶接ワイヤー用収納容器に関する。
【背景技術】
【０００２】
従来の一般的な大容量の溶接ワイヤー用収納容器において、溶接ワイヤーは筒部本体にコイル形状に収納され、筒部本体の内面は、樹脂で被覆され、この筒部本体の上段開口部に金属製の蓋を被せ、上記筒部本体と上記蓋との境界はゴムなどの密封部材で密封する。そして、収納容器の筒部本体は、強度を必要とする部分であるその下段部及び上端部がリング状の金属部材により補強されている。
【０００３】
なお、使用後収納容器は、溶接ワイヤーの収納に繰り返し使用される場合もあるが、通常、所定の回数の使用後、廃棄される。収納容器が廃棄される前に、金属材質であるリング状の金属部材及び蓋は、筒部本体から分離する費用がある。そうではない場合には、リング状の金属部材及び蓋が分離されず全体が産業廃棄物として処理される。これにより、従来の収納容器は、再活用の過程が複雑で、環境にやさしくない。
【０００４】
従って、近年には強度補強のための金属製または、プラスチック製などの補強部材を無くして、収納容器全体を紙材質で製作しようとする努力が続いている。
【０００５】
しかし、紙製収納容器は、従来の収納容器に比べて外部衝撃に弱い。また、溶接ワイヤーを収納した状態で２段に積層した場合、上方の収納容器が下方の収納容器に加わる座屈荷重を克服しなければならないという問題点がある。
【０００６】
また、収納容器の移動を容易にするために収納容器の側部には、開口を形成することができるが、紙材質の収納容器の場合、ストラップを用いて収納容器を持ち上げたり、移動させたりするなど繰り返し作業をする際、収納容器の開口部が摩耗及び破損しやすい。これを防止するため、開口部に繊維補強テープなどを貼り付ける方法があるが、手作業で行わなければならないし、時間が長くかかるという問題点がある。
【先行技術文献】
【特許文献】
【０００７】
【特許文献１】特開第２００１−３０１８８号公報
【発明の概要】
【発明が解決しようとする課題】
【０００８】
本発明は、前述の従来技術の問題点を解決するためのものであって、本発明の目的は、再活用が容易且つ、外部衝撃と座屈荷重に強く、ストラップガイドを含んでおり、運搬が容易な溶接ワイヤー用収納容器を提供するものである。
【課題を解決するための手段】
【０００９】
上記のような目的を達成するため、本発明の一側面は、下段には外側底支持部が形成され、内部には巻き取られた溶接ワイヤーを収容するワイヤー収容部が形成される外筒、上記外側底支持部に安着結合する底部及び上記外筒の内側面に密着し、下部には上記底部に安着する内側底支持部が形成される内筒を含み、上記外筒は強度補強部と、上記強度補強部の内側に形成されて外部からの衝撃を吸収する衝撃吸収部とを含む溶接ワイヤー用収納容器を提供する。
【００１０】
一実施例において、上記強度補強部は、第１板紙と第１中しん原紙とを含み、上記衝撃吸収部は、第２板紙と第２中しん原紙とを含んでいるが、上記第１中しん原紙の段の数は、上記第２中しん原紙の段の数より大きいことを特徴とする溶接ワイヤー用収納容器である。
【００１１】
一実施例において、上記第１中しん原紙の折り線と隣接する次の波形の一番面の折り線の間の長さを１１とし、上記強度補強部の厚さをｄ１とする時、Ｒ１＝１１／ｄ１が２以上、４以下であり、上記第２中しん原紙の段と隣接する次の段の間の長さを１２とし、衝撃吸収部の厚さをｄ２とする時、Ｒ２＝１２／ｄ２が２以上、４以下であることを特徴とする溶接ワイヤー用収納容器である。
【００１２】
一実施例において、上記第１中しん原紙の単位長さ当たりの段の数をＣ１、上記第２中しん原紙の単位長さ当たりの段の数をＣ２とする時、ＲＣ＝Ｃ１／Ｃ２は、１．２７以上、１．６７以下であることを特徴とする溶接ワイヤー用収納容器である。
【００１３】
一実施例において、上記外筒は、側部にストラップガイドを収容する２つ以上の収容空間部を更に含んでいることを特徴とする溶接ワイヤー用収納容器である。
【００１４】
一実施例において、上記ストラップガイドは、上記収容空間部に結合され、上記ストラップガイドは第１ベース、上記第１ベースに形成されてストラップが通過する第１スロットを含むストラップボス、そして、上記ストラップボスの外周部に位置し、口径を含む少なくとも一つ以上の突起収容部を含む第１モジュール、及び第２ベース、上記第２ベースに形成される第２スロット、上記第２スロットの外周部に位置し、上記突起収容部とペアを成すように形成される一つ以上の結合突起を有する第２モジュールを含み、上記第１モジュールが上記第２モジュールと結合することにより単一閉曲面を有する開口部が形成されることを特徴とする溶接ワイヤー用収納容器である。
【００１５】
一実施例において、上記開口部の縁は、緩やかなラウンド形態であることを特徴とする溶接ワイヤー用収納容器である。
【００１６】
一実施例において、上記第２ベースは、傾斜角を有し、外側へ傾いた切曲部を更に含むことを特徴とする溶接ワイヤー用収納容器である。
【００１７】
一実施例において、上記収容空間部は、上記ストラップボスが挟み合わされる中間空間部と、上記突起収容部が挟み合わされる上部空間部及び下部空間部とを含み、上記収容空間部に上記ストラップガイドが挟み合わされることを特徴とする溶接ワイヤー用収納容器である。
【００１８】
一実施例において、上記第１モジュールは、上記外筒と内筒との間の間空間部に配置され、上記第２モジュールは、上記外筒の外側から外筒の外側面に形成される上記収容空間部を通過することにより第１モジュールに結合することを特徴とする溶接ワイヤー用収納容器である。
【００１９】
一実施例において、上記ストラップボスの高さは、上記外筒の厚さ以上であることを特徴とする溶接ワイヤー用収納容器である。
【００２０】
一実施例において、中央部は、上記外側底支持部と上記底部の間に配置され、両端部は上記外筒と内筒との間の間空間部に配置され、上記外筒の外側面に対向するように形成される収容空間部に露出されて掛け部を形成するストラップを更に含むことを特徴とする溶接ワイヤー用収納容器である。
【００２１】
一実施例において、上記内筒は、少なくとも一つ以上の切取り部を更に含むことを特徴とする溶接ワイヤー用収納容器である。
【発明の効果】
【００２２】
本発明の一側面によると、外筒が強度補強部と衝撃吸収部とを含み、このような外筒の内部に内筒が密着結合することにより、外部衝撃が加わっても溶接ワイヤー用収納容器が陥没または破損することなく、内部の溶接ワイヤーを安定的に保護することができる。
【００２３】
そして、本発明の溶接ワイヤー用収納容器が上下に積層されても座屈が発生しない。
【００２４】
また、溶接ワイヤー用収納容器は、紙材質で製作することができ、収納容器を補強するための金属、プラスチックなどのその他の材質の付加物が必要ではなく、ストラップの解体も容易であるため、溶接ワイヤー用収納容器の分解及び再活用が容易である。さらに、使用後の溶接ワイヤー用収納容器の再活用のために求められる運搬費用及び溶接ワイヤー用収納容器を産業廃棄物に処理するのに必要な費用を節減することができる。
【００２５】
そして、強度補強部の外側が水密性のある合成樹脂でコーティングすることができ、外部の湿気などから内部を保護することができる。
【００２６】
また、溶接ワイヤー用収納容器の下部が外側底支持部、底部、底部補強部、弾性維持板及び内側底支持部により合計５重構造で形成されることにより、溶接ワイヤー用収納容器は、内部に収容される溶接ワイヤーの重さを安定的に支えることができ、垂直方向の荷重や衝撃に対して溶接ワイヤーを安定的に保護することができる。
【００２７】
そして、ストラップガイドを挟み合わせることができる収容空間部を有する溶接ワイヤー用収納容器は、持ち上げたり、移動したりするとき、ストラップガイドが回転しないで、揺れることなく結着することが出来て安定的である。
【００２８】
また、溶接ワイヤー用収納容器の収容空間部に第１モジュールと第２モジュールとが結合して単一閉曲面を有するストラップガイドの開口部を形成することにより、溶接ワイヤー用収納容器の開口が外部作用から安全に保護することができる。
【００２９】
そして、ストラップガイドの開口部の縁を緩やかにラウンド処理して、ストラップがより堅固かつ安全に支持することができる。
【００３０】
また、傾斜角を有し、外側へ傾いた切曲部を含むストラップガイドの第２モジュールにより、溶接ワイヤー用収納容器に結合されたストラップガイドを手で簡単に分離することができる。
【００３１】
そして、内筒は、外側面に一つ以上の切取り部を含んでおり、丈夫なハードボード材質の内筒廃棄が容易で、廃棄するのにかかる時間を短縮することができる。
【００３２】
本発明の効果は、上記の効果により限定されるものではなく、本発明の詳細な説明または特許請求の範囲に記載の発明の構成から推論可能な全ての効果を含むものと理解するべきである。
【図面の簡単な説明】
【００３３】
【図１】図１は、本発明の一実施例による溶接ワイヤー用収納容器の外形を示す斜視図である。
【図２】図２は、発明の一実施例による外筒を示す斜視図である。
【図３】図３の（ａ）及び（ｂ）は、それぞれ本発明の外筒を上方から見た平面図及び外筒の強度補強部と衝撃吸収部を示す部分拡大図である。
【図４】図４は、本発明の外筒を下方から見た底面図である。
【図５】図５の（ａ）は、本発明の一実施例による外筒、底部、底部補強部、弾性維持板、弾性体維持部、ストラップガイド及びストラップが結合された状態の切開図である。図５の（ｂ）及び（ｃ）は、図５の（ａ）の一部を拡大した部分拡大図である。
【図６】図６は、本発明の一実施例による内筒を示す斜視図である。
【図７】図７は、本発明の内筒を下方から見た底面図である。
【図８】図８の（ａ）及び（ｂ）は、それぞれ本発明の内筒の切開図及び図８の（ａ）の一部を拡大した部分拡大図である。
【図９】図９の（ａ）及び（ｂ）は、それぞれ軸Ｌを中心に本発明の外筒内部に内筒が挿入され、その上部にキャップが被られることを示す分解組立図及び、本発明の外筒と内筒とが結合された状態を示す。
【図１０】図１０の（ａ）及び（ｂ）は、それぞれ本発明の一実施例による溶接ワイヤー用収納容器の収容空間部の正面図及びストラップガイドが結合された収容空間部の正面図である。
【図１１】図１１の（ａ）及び（ｂ）は、本発明の一実施例による溶接ワイヤー用収納容器の収容空間部の斜視図とストラップガイドとが結合された収容空間部の斜視図である。
【図１２】図１２の（ａ）及び（ｂ）は、それぞれ一実施例によるストラップガイドの第１モジュール及び第２モジュールの斜視図である。
【図１３】図１３は、本発明の一実施例によるストラップガイドが結合された溶接ワイヤー用収納容器の切開図及び開口部の縁の部分拡大図である。
【発明を実施するための形態】
【００３４】
以下では添付した図面を参照して本発明を説明する。しかしながら、本発明は、種々の異なる形態で具現することができ、従って、ここで説明する実施例に限定されるものではない。そして図面で本発明を明らかに説明するために説明と関係ない部分は省略し、明細書全体を通じて類似した部分については類似した図面符号を付けた。
【００３５】
明細書全体で、ある部分が他の部分と”連結”されているとする際、これは"直接的に連結"されている場合だけではなく、その中間に他の部材を間に置いて"間接的に連結"されている場合も含む。また、ある部分がある構成要素を"含む"とする際、これは特に反対する記載がない限り、他の構成要素を除外するものではなく、他の構成要素を更に備えることができるということを意味する。
【００３６】
以下の添付の図面を参考にして本発明の実施例を詳細に説明する。
【００３７】
図１は、本発明の一実施例による溶接ワイヤー用収納容器１０００の外形を示す斜視図である。そして、本発明の溶接ワイヤー用収納容器１０００は紙材質からなる。
【００３８】
図１を参照すると、溶接ワイヤー用収納容器１０００の外形は、外筒１００及びキャップ６００により行うことができる。外筒１００は、多角柱形状であり、好ましくは横断面が正１２角形である。外筒１００の上部は、外部へ開放されるように形成する。キャップ６００は、外筒１００の形状と対応し、内部空間部を有する多角柱形状である。キャップ６００は、外筒１００の上部を閉鎖して外筒１００内部を保護する役割を果たす。キャップ６００が外筒１００の上部を閉鎖する場合、キャップ６００の内部空間部に外筒１００の上部の一部を収容することができる。
【００３９】
図２は、本発明の一実施例による外筒１００を示す斜視図であり、図３の（ａ）及び（ｂ）は、それぞれ本発明の外筒を上方から見た平面図及び外筒の強度補強部と衝撃吸収部を示す部分拡大図である。そして、図４は、外筒１００を下方から見た底面図である。
【００４０】
図２乃至図４を参照すると、外筒１００は、多角柱形状であり、外筒１００の下部には外側底支持部１０２を形成することができ、内部には巻き取られた溶接ワイヤー（図示せず）を収容できるワイヤー収容部１０３を形成することができる。そして、内側面１０４には、後述の内筒が密着して位置付けられて、外側面１０５には、後述のストラップ５００が露出される収容空間部１３０を形成することができる。また、収容空間部１３０には、後述のストラップガイド７００を結合することができる。
【００４１】
外筒１００は、強度補強部１１０と強度補強部１１０の内側に形成されて外部からの衝撃を吸収する衝撃吸収部１２０を含むことができる。
【００４２】
強度補強部１１０は、第１板紙１１２と第１中しん原紙１１１を含む。第１中しん原紙１１１の横断面の形状は、略ｓｉｎ関数の波形形状である。このような第１中しん原紙１１１の形状により、強度補強部１１０の圧縮荷重の強度及び座屈荷重の強度を向上することができる。そして、第１板紙１１２は、外側第１板紙（１１２ａ）と内側第１板紙１１２ｂと形成されることができる。
【００４３】
衝撃吸収部１２０は、第２板紙１２２と第２中しん原紙１２１とを含む。第２中しん原紙１２１の横断面の形状は、略五角形が繰り返し配置される形態である。このような第２中しん原紙１２１の形状により、衝撃吸収部１２０に加わる衝撃力が効果的に吸収できるようになる。そして、第２板紙１２２は、外側第２板紙１２２ａと内側第２板紙１２２ｂと形成されることができる。なお、本発明の一実施例によれば、内側第１板紙１１２ｂと外側第２板紙１２２ａは一体に形成されることができる。
【００４４】
さらに、外筒１００全体から見た時、外側には強度補強部１１０が形成されており、内側には衝撃吸収部１２０が形成されていることにより、衝撃が加わる場合、外筒１００が陥没または破損することなく、内部に収容される溶接ワイヤーに衝撃が伝わらない。従って、溶接ワイヤー用収納容器１０００の上側に溶接ワイヤーを収容した別途の溶接ワイヤー用収納容器１０００が積層されることにより、荷重が加わっても、下側に位置した溶接ワイヤー収納容器１０００の外筒１００は座屈しない。
【００４５】
本発明の一実施例によれば、強度補強部１１０の外側は、水密性のある合成樹脂でコーティングすることができる。従って、外部の湿気などから内部を保護することができる。
【００４６】
単位長さ当たりの第１中しん原紙１１１の折り線１１１ａの数は、第２中しん原紙１２１の折り線１２１ａの数より大きく形成されることができる。これにより、強度補強部１１０においては、外側第１板紙（１１２ａ）と内側第１板紙１１２ｂの間が相対的に容易に圧縮されず、強度補強部１１０が圧縮力に効果的に抵抗することができる。なお、衝撃吸収部１２０においては、外側第２板紙１２２ａと内側第２板紙１２２ｂの間が相対的に容易に圧縮されることにより、衝撃吸収部１２０が衝撃を効果的に吸収することができる。
【００４７】
本発明の一実施例において、強度補強部１１０においては、第１中しん原紙１１１の折り線と隣接する次の波形の一番面の折り線の間の距離を１１とし、強度補強部１１０の厚さをｄ１とする時、Ｒ１＝１１／ｄ１が２以上、４以下であり、好ましくは２．５以上、３．５以下である。
【００４８】
Ｒ１が２未満になる場合、強度補強部１１０の厚さに比べて、第１中しん原紙１１１の折り線と折り線の間の距離が過度に短くなって強度補強部１１０の生産性が低下する。
【００４９】
なお、Ｒ１が４超過になる場合、強度補強部１１０の厚さに比べて、第１中しん原紙１１１の折り線と折り線の間の距離が過度に長くなって外部衝撃が加わった時、強度補強部１１０が簡単に圧縮したり、陥没または破損したりするので、内部に収容される溶接ワイヤーを保護することができない。
【００５０】
従って、Ｒ１が、上記の数値範囲値を有することにより、強度補強部１１０の生産効率はせず、圧縮力への抵抗力が極大化する。
【００５１】
そして、衝撃吸収部１２０においては、第２中しん原紙１２１の段と隣接する次の段の間の距離を１２とし、衝撃吸収部１２０の厚さをｄ２とする時、Ｒ２＝１２／ｄ２が２以上、４以下であり、好ましくは２．５以上、３．５以下である。
【００５２】
Ｒ２が２未満となる場合、衝撃吸収部１２０の厚さに比べて、第２中しん原紙１２１の段と隣接する次の段の間の距離が過度に短くなる。このため、返って第２中しん原紙１２１が衝撃に対して抵抗する力が大きくなって衝撃が効果的に吸収できない。
【００５３】
なお、Ｒ２が４超過となる場合、衝撃吸収部１２０の厚さに比べて、第２中しん原紙１２１の段と隣接する次の段の間の距離が過度に長くなる。これにより、第２中しん原紙１２１は、軽い衝撃でも簡単に変形が生ずるようになって、溶接ワイヤー運搬時の作業環境から露出される衝撃をうまく吸収することができない。
【００５４】
従って、Ｒ２が上記の数値範囲の値を有することにより、第２中しん原紙１２１の衝撃吸収効果を最適化することができる。
【００５５】
本発明の一実施例において、第１中しん原紙の単位長さ当たりの折り線１１１ａの数をＣ１とし、第２中しん原紙の単位長さ当たりの折り線１２１ａの数をＣ２とする時、ＲＣ＝Ｃ１／Ｃ２は、１．２７以上、１．６７以下であり、好ましくは１．３７以上、１．５７以下である。
【００５６】
ＲＣが１．２７未満となる場合、強度補強部１１０の強度が低下して外筒１００が陥没または破損されることがある。または、返って衝撃吸収部１２０が外部衝撃への抵抗力を持つようになって、外部衝撃が内部に収容される溶接ワイヤーに伝達されることにより、溶接ワイヤーが損傷する恐れがある。
【００５７】
なお、ＲＣが１．６７超過となる場合、製作容易性が著しく低下したり、衝撃吸収部１２０の衝撃吸収能力が低下したりすることがある。
【００５８】
従って、ＲＣが上記の数値範囲の値を持つようになることにより、外筒１００の強度及び衝撃吸収効果を最適化することができる。
【００５９】
本発明の一実施例によれば、衝撃吸収部１２０の厚さｄ２が強度補強部１１０の厚さｄ１より大きい。これにより、強度補強部１１０は、外筒１００に強度を与える役割を果たすことができ、衝撃吸収部１２０は、外筒１００に加わる外部衝撃を容易に吸収することができる。
【００６０】
外筒１００を下方から見た時、外側底支持部１０２は、外側の辺（１０２ａ）の長さより内側の辺（１０２ｂ）の長さが更に短い台形の形状であり、好ましくは、等辺台形の形状である。そして、外側底支持部１０２は、外側面１０５と一体と外側面１０５から延長され、下部端から折る方式に形成することができる。また、外側底支持部１０２も上述の強度補強部（１１０、図３参照）と衝撃吸収部（１２０、図３参照）の構造を持つように形成することができる。
【００６１】
図５の（ａ）は、本発明の一実施例による外筒１００、底部２００、底補強部２１０、弾性維持板４００、弾性体維持部４５０、ストラップガイド７００及びストラップ５００が結合された状態における切開図であり、図５の（ｂ）及び（ｃ）は図５の（ａ）の一部を拡大した部分拡大図である。
【００６２】
図５の（ａ）乃至（ｃ）を参照すると、底部２００は、外筒１００の断面形状に対応する多角形の形状であり、外側底支持部１０２上に安着結合することができる。このような底部２００も上述の強度補強部（１１０、図３参照）と衝撃吸収部（１２０、図３参照）の構造を持つように形成することができる。そして、強度補強部の構造は上方に、衝撃吸収部の構造は下方に形成することができる。これにより、外筒１００の垂直方向から加わる外力にも簡単に陥没、または破損しなくて、上記外力を容易に吸収して内部に収容される溶接ワイヤーを安定的に保護することができる。
【００６３】
底補強部２１０は、底部２００の上側に配置することができる。そして、底補強部２１０も上述の強度補強部（１１０、図３参照）と衝撃吸収部（１２０、図３参照）の構造を持つように形成することができる。
【００６４】
なお、底補強部２１０は、衝撃吸収部の構造が上方に位置し、強度補強部の構造は下方に位置するように形成することができる。これにより、底補強部２１０は、溶接ワイヤーを収容する際加わる衝撃を容易に吸収することができる。
【００６５】
底部２００と底補強部２１０の中央部には、後述の弾性体維持部４５０が結合できるホール（図示せず）を形成することができる。
【００６６】
弾性維持板４００は、底補強部２１０上側に配置することができる。そして、弾性維持板４００も上述の強度補強部（１１０、図３参照）と衝撃吸収部（１２０、図３参照）の構造を持つように形成することができる。または、幾重の紙くずが積層されて圧縮した構造を持つように形成することができる。
【００６７】
弾性維持板４００の中央部には、ホール（図示せず）を形成することができ、このホールを介して弾性体維持部４５０を結合することができる。より具体的に、弾性体維持部４５０の上部結合部４６０が弾性維持板４００の上側から弾性維持板４００、底補強部２１０及び底部２００の中央部に形成されるホール（図示せず）を通過して結合し、締結口の役割を果たす弾性体維持部４５０の下部結合部４８０が底部２００の下側から上部結合部４６０と締結することができる。
【００６８】
弾性体維持部４５０の上部結合部４６０は、上側に弾性体がかかることができるリング状の弾性体掛け部４７０を含む。
【００６９】
図６は、本発明の一実施例による内筒３００を示す斜視図であり、図７は、内筒３００を下方から見た底面図であり、図８の（ａ）及び（ｂ）は、それぞれ本発明の内筒の切開図及び図８の（ａ）の一部を拡大した部分拡大図である。
【００７０】
図６乃至図８を参照すると、内筒３００は円筒形の柱形状である。内筒３００の下部には、内側底支持部３０２を形成することができ、内部には、巻き取られた溶接ワイヤー（図示せず）を収容できるワイヤー収容部（３０３）を形成することができる。そして、内筒３００は、外筒１００の内部に着脱可能に挿入することができ、内筒３００が外筒１００内部に挿入される場合、内筒３００の外側面３０５は、外筒１００の内側面１０４と密着する。
【００７１】
内筒３００は、紙材質で形成することができる。具体的に、内筒３００は、幾重の板紙を圧密して形成するハードボード材質であり、円筒形の形状を丈夫に維持することができる。
【００７２】
内側底支持部３０２は、上述の強度補強部（１１０、図３参照）と衝撃吸収部（１２０、図３参照）の構造を持つように形成することができる。これにより、溶接ワイヤーを収容する際に加わる衝撃を容易に吸収することができる。
【００７３】
内側底支持部３０２の中央部には、ホール３０６を形成することができる。このようなホール３０６を介して、弾性体維持部４５０が露出し、弾性体維持部４５０は、引張スプリングと結合することができる。
【００７４】
また、内筒３００の内側面３０４には、巻き取られたワイヤーの残量をチェックできる残量チェック部３１０を形成することができ、さらに、リテーナー（図示せず）の動きをガイドできるリテーナーガイド３２０を形成することができる。
【００７５】
そして、本発明の一実施例によれば、溶接ワイヤー用収納容器１０００に巻き取られたワイヤーを全て焼尽した後内筒を廃棄する際、内筒３００がよく曲げられるように内筒３００の外側面３０５には少なくとも一つ以上の切取部３０７を形成することができる。
【００７６】
切取部３０７の形状は、一定の深さを有する切開ホーム、または点線形態、またはそれ以外の切取り形状である。
【００７７】
切取部３０７の個数には制限がないが、好ましくは内筒３００の丈夫さを維持しながら廃棄の際、内筒３００がよく曲げられるように１２０°角度で３つ形成することができる。
【００７８】
これにより、丈夫なハードボード材質の内筒３００を容易に処理することができ、廃棄するのにかかる時間を短縮することができる。
【００７９】
図９の（ａ）及び（ｂ）は、それぞれ軸Ｌを中心に本発明の外筒内部に内筒を挿入し、その上部にキャップを被せることを示す分解組立図及び、本発明の外筒と内筒とが結合された状態を示す。
【００８０】
図９の（ａ）及び（ｂ）を参照すると、外筒１００と内筒３００は、外筒１００の内部に内筒３００を挿入して外筒１００の内側面１０４と内筒３００の外側面３０５とを密着した状態となり、その上部にキャップ６００を結合することで組立することができる。
【００８１】
また、内筒３００を外筒１００の内部に挿入する際、内筒３００の外側面３０５と外筒１００の内側面１０４の間にストラップ５００を介することができる。これにより、ストラップ５００において、外筒１００の外側へ露出される部分を除いて内筒３００と外筒１００との間の摩擦力により安定的に維持できる。
【００８２】
図３、図６及び図９を参照すると、外筒１００と内筒３００とが結合して、強度補強部１１０、衝撃吸収部１２０及び内筒３００により総３重構造を形成することができる。これにより、本発明の溶接ワイヤー用収納容器１０００は、側方から加わる外部衝撃にも内部に収容される溶接ワイヤーを安定的に保護することができ、上方から座屈荷重が加わっても曲がったり、破損したりしない。
【００８３】
図５及び図８を参照する際、外筒１００と内筒３００とが結合すると、外側底支持部１０２、底部２００、底補強部２１０、弾性維持板４００及び内側底支持部３０２により総５重構造を形成することができる。これにより、内部に収容される溶接ワイヤーの重さを安定的に支えることができ、本発明の一実施例による溶接ワイヤー用収納容器１０００に加わる垂直方向の荷重や衝撃に対して溶接ワイヤーを安定的に保護することができる。
【００８４】
図１０の（ａ）及び（ｂ）は、それぞれ本発明の一実施例による溶接ワイヤー用収納容器の収容空間部の正面図及びストラップガイドが結合された収容空間部の正面図であり、図１１の（ａ）及び（ｂ）は、本発明の一実施例による溶接ワイヤー用収納容器の収容空間部の斜視図とストラップガイドが結合された収容空間部の斜視図であり、図１２の（ａ）及び（ｂ）は、それぞれ一実施例によるストラップガイドの第１モジュール及び第２モジュールの斜視図である。
【００８５】
図１０乃至図１２を参照すると、溶接ワイヤー用収納容器１０００は、２つ以上のストラップガイド７００を収容する２つ以上の収容空間部１３０を含むことができる。ストラップガイド７００は、収容空間部１３０を介して溶接ワイヤー用収納容器１０００に結合され、ストラップガイド７００の開口部７３０を介してストラップ５００を外筒１００の外側へ露出することができる。
【００８６】
ストラップガイド７００は、第１モジュール７１０と第２モジュール７２０とが溶接ワイヤー用収納容器１０００の収容空間部１３０を介して結合または分離される方式で用いられる。
【００８７】
図１２を参照すると、第１モジュール７１０は、第１ベース７１１、ストラップボス７１４、第１スロット７１５、及び一つ以上の突起収容部７１２を含む。第１ベース７１１は、薄い板状であり、その形状は円形または多角形、またはそれ以外の形状である。
【００８８】
ストラップボス７１４は、第１ベース７１１の中央部に一定の高さをもって形成することができ、ストラップボス７１４の内周面に囲まれた第１スロット７１５を含む。
【００８９】
突起収容部７１２は、ストラップボス７１４の高さ方向に形成されることができ、ストラップボス７１４の外側にストラップボス７１４から一定の間隔に離隔して位置することができる。突起収容部７１２は、第２モジュール７２０の結合突起７２２を収容する口径７１３を含んでおり、その形状は、結合突起の形状により多様に形成することができる。好ましくは、結合及び分離が容易であるように円筒形形状である。突起収容部７１２の個数は一つ以上である。また、突起収容部７１２は、中央部に位置するストラップボス７１４の上下側にそれぞれ一定の間隔に離れたままで２つずつ形成することができる。
【００９０】
次いで、図１２を参照すると、第２モジュール７２０は第２ベース７２１、第２スロット７２４及び一つ以上の結合突起７２２を含む。第２ベース７２１は薄い板状であり、その形状は、円形または多角形またはそれ以外の形状である。好ましくは、第２ベース７２１の形状は第１ベース７１１の形状と対応する形状である。
【００９１】
一実施例によれば、第２ベース７２１は傾斜角を有し、外側へ傾いた切曲部７２３とベース中央部に位置する第２スロット７２４を含む。
【００９２】
切曲部７２３は、結合された状態のストラップガイド７００が簡単に分離できるようにする取っ手の役割をすることができる。そして、切曲部７２３は、第２ベース７２１の特定の位置に限定されずに、第２ベース７２１の一側に形成されることができる。但し、好ましくは、ストラップガイド７００が溶接ワイヤー用収納容器１０００から簡単に分離できるように第２ベース７２１の下部に形成されることができる。切曲部７２３の傾いた角度は、結合されたストラップガイド７００の分離のために指が第１モジュール７１０と第２モジュール７２０との間に入りやすい一方、分離のための力がよく伝達できるようにする程度がよく、好ましくは、１０°乃至２０°である。
【００９３】
結合突起７２２は、第２スロット７２４の外周部に第２スロット７２４から一定の間隔に離隔して位置することができ、結合の時、第１モジュール７１０の突起収容部７１２とペアを成す。結合突起７２２の個数は１個以上であり、好ましくは、突起収容部７１２の個数と対応して決定することができる。
【００９４】
一実施例によれば、結合突起７２２は、中央部に位置する第２スロット７２４の上下側にそれぞれ一定の間隔に離れたままで２つずつ形成することができる。結合突起７２２の形状は、突起収容部７１２の口径７１３の形状と対応する形状に形成することができる。好ましくは、結合及び分離が容易な円筒形の形状であり、円筒の角部は緩やかなラウンド形態である。
【００９５】
図１３は、本発明の一実施例によるストラップガイドが結合された溶接ワイヤー用収納容器の切開図及び開口部の縁の部分拡大図である。
【００９６】
図１１の（ａ）、（ｂ）及び図１３を参照すると、第１モジュール７１０と第２モジュール７２０とが結合することにより、第１ベース７１１の外側面、ストラップボス７１４の内周面、第２ベース７２１の外側面が連結され、単一閉曲面を有する開口部７３０を形成することができる。
【００９７】
ストラップ５００を用いて溶接ワイヤー用収納容器１０００を移動して保管するなど、繰り返し取り扱いすると、溶接ワイヤー用収納容器１０００の収容空間部１３０の縁は、外部作用から脆弱する可能性があるが、単一閉曲面を有する開口部７３０を形成すると、複数の外部作用を遮断することができて溶接ワイヤー用収納容器１０００の耐久性を向上することができる。また、開口部７３０を介してストラップ５００が通過され、ストラップ５００は開口部７３０の縁７３１を介して支持することができる。
【００９８】
一実施例において、ストラップ５００と相接する開口部７３０の縁７３１は、ストラップ５００の支持力を向上させるために緩やかなラウンド形態である。この場合、ストラップ５００と開口部７３０の縁７３１の接触面積が広くなってより丈夫で安全にストラップ５００を支持することができる。
【００９９】
図１０及び図１１を参照すると、収容空間部１３０は、ストラップボス７１４が挟み合わされる中間空間部１３１と突起収容部７１２が挟み合わされる上部空間部１３２及び下部空間部１３３とを含んでおり、ストラップガイド７００は、このような収容空間部１３０に挟み合わせることができる。中間空間部１３１は、ストラップボス７１４の形状により形成することができ、上部空間部１３２及び下部空間部１３３は、突起収容部７１２の形状により形成することができる。このように、ストラップガイド７００が収容空間部１３０に挟み合わせる形式に結合されると、ストラップガイド７００と溶接ワイヤー用収納容器１０００とが揺れることなく結着し、結合したまま回転しないので安定的である。上部空間部１３２及び下部空間部１３３の突起収容部７１２が挟み合わされる形状は、突起収容部７１２の個数によって変更することができる。
【０１００】
図１１及び図１３を参照すると、ストラップボス７１４の高さは、紙材質の溶接ワイヤー用収納容器１０００の保護のため、外筒１００の厚さ以上であることにすることができる。この場合、外筒１００の厚さは、第１モジュール７１０と第２モジュール７２０とがしっかりと結合された状態でストラップボス７１４の高さを超えることなく、その間に位置することにより外部影響から保護することが出来て耐久性を増進することができる。
【０１０１】
次いで、図１１及び図１３を参照すると、溶接ワイヤー用収納容器１０００は、外筒１００と内筒３００の二重構造で形成することができ、この場合、溶接ワイヤー用収納容器１０００は、第１モジュール７１０が溶接ワイヤー用収納容器１０００の外筒１００と内筒３００の間の間空間部（８００）に配置され、第２モジュール７２０は、溶接ワイヤー用収納容器１０００の外筒１００の外側から外筒１００の側部に形成される収容空間部１３０を通過することにより第１モジュール７１０に結合する溶接ワイヤー用収納容器１０００である。
【０１０２】
図１、図４、図５及び図１３を参照すると、本発明の一実施例による溶接ワイヤー用収納容器１０００はストラップ５００を更に含む。ストラップ５００は、ナイロン、ポリエステルなどの合成樹脂材質からなる。ストラップ５００の中央部５０１は、外側底支持部１０２と底部２００との間に配置できる。そして、ストラップ５００の両端部５０２は、外筒１００の外側面１０５に対向するように形成される収容空間部１３０、または収容空間部１３０に結合されたストラップガイド７００の開口部７３０に露出されて掛け部５１０を形成することができる。
【０１０３】
本発明の溶接ワイヤー用収納容器１０００に溶接ワイヤーが収納されると、ストラップ５００の中央部５０１が溶接ワイヤーにより加圧される。そして、両側の掛け部５１０へリフティング装置のアーム（ａｒｍ、図示せず）を挿入し、溶接ワイヤー用収納容器１０００は、地面から離隔された状態で運搬される。この場合、ストラップ５００は、溶接ワイヤーの重さを安定的に支持することができる。
【０１０４】
また、ストラップ５００は、外筒１００と付着されないまま、一側の掛け部５１０を引っ張ると、他側の掛け部５１０が移動可能に配置することができる。従って、組立が簡単なだけではなく、本発明の溶接ワイヤー用収納容器１０００を廃棄する時にも分離が容易である。
【０１０５】
さらに、ストラップ５００と外筒１００とが付着されない結合関係であっても、ストラップ５００上に底部２００などを配置し、その上に溶接ワイヤーを収容して運搬するので、溶接ワイヤーの重さによりストラップ５００を簡単に移動できない。従って、溶接ワイヤーを収容して運搬するにあたって安定的である。
【０１０６】
前述の本発明の説明は例示のためのものであり、本発明が属する技術分野の通常の知識を有する者は、本発明の技術的思想や必須的な特徴を変更せずに、他の具体的な形態で簡単に変形が可能であることが理解できる。そのため、以上で記した実施例は、すべての面で例示的なものであり、限定的なものではないと理解しなければならない。例えば、単一型に説明している各構成要素は、分散して実施することができ、同様に分散されたもので説明している構成要素も結合した形態で実施することができる。
【０１０７】
本発明の範囲は、後述する特許請求の範囲により表され、特許請求の範囲の意味及び範囲、そして、その均等概念から導出している全ての変更または変形した形態が本発明の範囲に含まれるものと解釈されるべきである。
【符号の説明】
【０１０８】
１００  外筒
１０１  外筒上端部
１０２  外側底支持部
１０２ａ  外側の辺
１０２ｂ  内側の辺
１０３  ワイヤー収容部
１０４  外筒内側面
１０５  外筒外側面
１１０  強度補強部
１１１  第１中しん原紙
１１１ａ  第１中しん原紙の折り線
１１２  第１板紙
１１２ａ  外側第１板紙
１１２ｂ  内側第１板紙
１２０  衝撃吸収部
１２１  第２中しん原紙
１２１ａ  第２中しん原紙の折り線
１２２  第２板紙
１２２ａ  外側第２板紙
１２２ｂ  内側第２板紙
１３０  収容空間部
１３１  中間空間部
１３２  上部空間部
１３３  下部空間部
２００  底部
２１０  底部補強部
３００  内筒
３０１  内筒上端部
３０２  内側底支持部
３０３  ワイヤー収容部
３０４  内筒内側面
３０５  内筒外側面
３０６  ホール
３０７  切取り部
３１０  残量チェック部
３２０  リテーナーガイド
４００  弾性維持板
４５０  弾性体維持部
４６０  上部結合部
４７０  弾性体掛け部
４８０  下部結合部
５００  ストラップ
５０１  ストラップの中央部
５０２  ストラップの両端部
５１０  掛け部
６００  キャップ
７００  ストラップガイド
７１０  第１モジュール
７１１  第１ベース
７１２  突起収容部
７１３  口径
７１４  ストラップボス
７１５  第１スロット
７２０  第２モジュール
７２１  第２ベース
７２２  結合突起
７２３  切曲部
７２４  第２スロット
７３０  開口部
７３１  開口部縁
８００  間空間部
１０００  溶接ワイヤー用収納容器
【図１】
2019150876.tif 000003
【図２】
2019150876.tif 000004
【図３】
2019150876.tif 000005
【図４】
2019150876.tif 000006
【図５】
2019150876.tif 000007
【図６】
2019150876.tif 000008
【図７】
2019150876.tif 000009
【図８】
2019150876.tif 000010
【図９】
2019150876.tif 000011
【図１０】
2019150876.tif 000012
【図１１】
2019150876.tif 000013
【図１２】
2019150876.tif 000014
【図１３】
2019150876.tif 000015